(57)【要約】      （修正有）【課題】長さにバラツキがある乾麺類でも一つの収容具で対応可能で、乾麺類を収容した後でも、商品名、生産者情報などの速やかに認知させることが可能な乾麺類収容具を提供する。【解決手段】棒状で包装袋Ｐに収容された乾麺類を保存する収容具ＰＣであり、収容具本体Ｃは有底筒状に形成され、収容具本体の上部には開口部Ｃ１１が設けられ、収容具本体の下部には底部Ｃ２１が形成され、本体底部には乾麺類を取り出す孔部が少なくとも一つ設けられ、本体上部Ｃ１０または本体開口部の近傍で本体上部の外周面に沿って包装袋の一端部を開封して形成された開口部Ｐ４を嵌合させるようにした包装袋嵌合部Ｃ１３を形成し、包装袋嵌合部には包装袋開口部を嵌合した後に包装袋嵌合部と包装袋開口部を締着する締着具Ｃ３０を設ける。【選択図】図１
0003171333.tif 000002
【実用新案登録請求の範囲】
【請求項１】
棒状で包装袋に収容された乾麺類を保存する収容具であり、前記収容具の本体は有底筒状に形成され、前記収容具本体の上部には開口部が設けられ、前記収容具本体の下部には底部が形成され、前記本体底部には前記乾麺類を取り出す孔部が少なくとも一つ設けられ、前記本体上部または前記本体開口部の近傍で前記本体上部の外周面に沿って前記包装袋の一端部を開封して形成された開口部を嵌合させるようにした包装袋嵌合部を形成し、前記包装袋嵌合部には前記包装袋開口部を嵌合した後に前記包装袋嵌合部と前記包装袋開口部を締着する締着具を設けることを特徴とする乾麺類収容具。
【請求項２】
前記孔部は前記乾麺類を計量しながら取り出せるように形成され、前記本体底部には前記孔部を開閉する手段を設けることを特徴とする、請求項１に記載の乾麺類収容具。
【請求項３】
前記締着具または／及び前記包装袋嵌合部には前記包装袋嵌合部と前記包装袋開口部の締着を補助または強化する手段を設けることを特徴とする、請求項１に記載の乾麺類収容具。
【請求項４】
前記本体上部の外周寸法よりも前記本体下部の外周寸法の方が大きくなるように形成することを特徴とする、請求項１から請求項３のいずれかに記載の乾麺類収容具。
【請求項５】
前記収容具本体が前記乾麺類を保存する収容手段としてだけでなく前記包装袋の開閉を自在に制御する手段として機能することを特徴とする、請求項１から請求項４のいずれかに記載の乾麺類収容具。
【考案の詳細な説明】
【技術分野】
【０００１】  本考案は、棒状の乾麺類を収容する収容具であり、さらに収容されている乾麺類を計量しながら取り出すことができる乾麺類収容具に関するものである。
【背景技術】
【０００２】  従来から、一般的に市販されている、スパゲッティ、うどん、そば、そうめん、ひやむぎ、棒状ラーメン等の棒状の乾麺類は、一定の長さに切り揃えられ、所定量計量した後に包装されて流通している。そしてこのような乾麺類は、一般的には市販されている乾麺類専用の保存容器や収容具に収容され保存される場合が多い。ところが、このような乾麺類を調理する際には食事する人の食事量の乾麺類を計量する必要がある。そこで、近年このような棒状の乾麺類を収容する収容具で収容されている乾麺類を計量しながら取り出すことができる乾麺類保存容器や乾麺類収容具に関する開発が成されるようになってきた。【０００３】  例えば、麺類を収容して保存することができるとともに、所定量の麺類を計量しながら容易に取り出すことができる麺類ストッカーの提供を課題とする特許文献１の開発案件では、パスタストッカーは、有底楕円筒状の容器本体と、その容器本体の上部開口部を閉鎖する中蓋、回動蓋及び上蓋とから構成され、中蓋には左右一対のロート部が設けられ、各ロート部の中央には口径の異なる第一取出し孔及び第二取出し孔が穿設され、これら取出し孔と嵌合する第一嵌合部及び第二嵌合部が突設された回動蓋は、その基端部の回動軸を軸に中蓋に軸着され、左右方向に回動可能に構成され、中蓋の左右端部には空間部が形成され、回動蓋の先端部には指掛け部が切欠き形成されている。
また例えば、細長いパスタ容器を、コストを上げる事無く、縦にも横にも置ける様にし、縦に置いた場合でも、その上部から定量のパスタを取り出せる様に構成し、利便性を高めたパスタ用の容器の提供を課題とする特許文献２の開発案件では、パスタ用の麺が入る細長い容器に蓋が被せられる構造であり、容器の短辺側の側壁に、リブまたは突起を設け、蓋の縁部と高さを揃え、容器短辺側の側壁に計量も可能な貫通孔を設けたパスタ用の容器が知られている。
また例えば、必要量のスパゲッティを取り出し、内蓋を外すことなく最後まで取り出すことができるスパゲッティ保存容器の提供を課題とする特許文献３の開発案件では、上部開口部を有する楕円柱状の容器と外蓋の間に内蓋を設け、内蓋の両端に略三日月状の大きさの異なる穴を設け、穴と接する部分の容器の内側にスパゲッティが出やすいように、誘導部を形成したことを特徴とするスパゲッティ保存容器が知られている。
また例えば、乾麺類の計量が簡単かつ適正にでき乾麺類を保存可能かつ収納スペースを節約することができる乾麺計量機能付き容器の提供を課題とする特許文献４の開発案件では、本体と窓材からなる乾麺計量機能付き容器であり、本体は、計量部と、落とし込み用開口部と、本体取り出し用開口部とを有し、窓材は、擦り切り用平板部と、受け入れ用開口部と、窓材取り出し用切り欠き部とを有し、落とし込み用開口部と受け入れ用開口部とが一致する第１位置にて、乾麺を計量部に落とし込み、窓材を移動させることによって、擦り切り用平板部が乾麺を擦り切り、本体取り出し用開口部と窓材取り出し用切り欠き部とが一致する第２位置にて、計量部に落とし込まれた乾麺を取り出し可能に構成されている。
【先行技術文献】
【特許文献】
【０００４】
【特許文献１】特開２００１−０３１１６２号公開公報
【特許文献２】特開２００６−１８２４４６号公開公報
【特許文献３】特開２００９−１０２０６３号公開公報
【特許文献４】特開２００９−２０８８１４号公開公報
【考案の開示】
【考案が解決しようとする課題】
【０００５】  ところが、市販されている、スパゲッティ、うどん、そば、そうめん、ひやむぎ、棒状ラーメン等の棒状の乾麺類は、一定の長さに切り揃えられてはいるが、上述した乾麺類は、国内の生産者も、外国の生産者も、多く存在し、したがってたくさんの品種が流通しているため、長さにバラツキが見られる。したがって、特許文献１の麺類ストッカーや、特許文献２のパスタ用の容器や、特許文献３のスパゲッティ保存容器や、特許文献４の乾麺計量機能付き容器や、市販されている一般的な乾麺類保存容器や乾麺類収容具などでは、例えば一種類の収容具で上述した乾麺類に対応するのは難しいという指摘を受けている。例えば、スパゲッティに関しては、国産、外国産、及び夫々の産地や生産者によっても、２０〜３０ｃｍの範囲でバラツキが見られる。また例えば、うどんに関しては、国内の産地や生産者によって２０〜３０ｃｍの範囲でバラツキが見られる。また例えば、そばに関しては、国内の産地や生産者によって２０〜３０ｃｍの範囲でバラツキが見られる。また例えば、そうめんに関しては、国内の産地や生産者によって２０〜３０ｃｍの範囲でバラツキが見られる。また例えば、ひやむぎに関しては、国内の産地や生産者によって２０〜３０ｃｍの範囲でバラツキが見られる。また例えば、棒状ラーメンに関しては、国内の産地や生産者によって２０〜３０ｃｍの範囲でバラツキが見られる。【０００６】  また例えば、市販されている、スパゲッティ、うどん、そば、そうめん、ひやむぎ、棒状ラーメン等の棒状の乾麺類は包装されているので、包装袋や包装容器から取り出し、特許文献１の麺類ストッカーや、特許文献２のパスタ用の容器や、特許文献３のスパゲッティ保存容器や、特許文献４の乾麺計量機能付き容器や、市販されている一般的な乾麺類保存容器や乾麺類収容具などに収容することで、以下のような問題点が生じることが指摘されている。
（イ）包装袋や包装容器を廃棄処分したりすると、収容されている前記乾麺類のブランド名や生産者情報がわからなくなる。
（ロ）包装袋や包装容器を廃棄処分したりすると、収容されている前記乾麺類の消費期限や賞味期限がわからなくなる。
（ハ）包装袋や包装容器を廃棄処分したりすると、収容されている前記乾麺類のゆで時間などの調理条件がわからなくなる。
（ニ）包装袋や包装容器を廃棄処分したりすると、収容されている前記乾麺類の産地がわからなくなる。
（ホ）包装袋や包装容器を廃棄処分したりすると、収容されている前記乾麺類が、例えば、そうめんとひやむぎの違いが、プロの料理人や業界人以外には、例えば一般的な消費者には分かりづらい。【０００７】  また例えば、市販されている一般的な乾麺類保存容器や乾麺類収容具などは意匠性にこだわっている製品が少なく、また、特許文献１の麺類ストッカーや、特許文献２のパスタ用の容器や、特許文献３のスパゲッティ保存容器や、特許文献４の乾麺計量機能付き容器などにも、意匠性を向上させる記載が見られず、したがって意匠性にこだわっている消費者に対しては、これらの商品は購買意欲を刺激させるのは難しいという指摘を受けている。【０００８】  本考案は、上記の課題を解決するために成されたものであり、例えば市販されている、スパゲッティ、うどん、そば、そうめん、ひやむぎ、棒状ラーメン等の棒状の乾麺類であれば夫々の長さにバラツキが見られても一種類の収容具で対応可能であり、また例えば前記乾麺類を収容具に収容した後でも、前記乾麺類の、ブランド名や生産者情報、消費期限や賞味期限、調理条件、産地、種類などを速やかに認知させることが可能であり、さらに例えば、意匠性に特徴を持たせることで意匠性にこだわっている消費者に対して購買意欲を刺激させることが可能な乾麺類収容具の提供を目的とする。
【課題を解決するための手段】
【０００９】  課題を解決するための第一の手段（請求項１）は、棒状で包装袋に収容された乾麺類を保存する収容具であり、前記収容具の本体は有底筒状に形成され、前記収容具本体の上部には開口部が設けられ、前記収容具本体の下部には底部が形成され、前記本体底部には前記乾麺類を取り出す孔部が少なくとも一つ設けられ、前記本体上部または前記本体開口部の近傍で前記本体上部の外周面に沿って前記包装袋の一端部を開封して形成された開口部を嵌合させるようにした包装袋嵌合部を形成し、前記包装袋嵌合部には前記包装袋開口部を嵌合した後に前記包装袋嵌合部と前記包装袋開口部を締着する締着具を設けることを特徴とする乾麺類収容具を提供することである。【００１０】  課題を解決するための第一の手段で示した棒状で包装袋に収容された乾麺類に関しては、包装袋に収容されたスパゲッティ、包装袋に収容されたうどん、包装袋に収容されたそば、包装袋に収容されたそうめん、包装袋に収容されたひやむぎ、包装袋に収容された棒状ラーメン等で、一般的に入手できればどんなタイプでも構わない。
課題を解決するための第一の手段で示した前記収容具の本体は有底筒状に形成されることに関しては、前記有底筒状の断面形状が略円形でも楕円形でも多角形でもよい。また、前記収容具本体を有底筒状に形成することが好ましいが、前記収容具本体を、有底四角筒状、有底六角筒状、有底八角筒状等の有底多角筒状に形成しても構わない。また、前記収容具本体に関しては、有底筒状に形成することが可能であれば合成樹脂製でも金属製でも木製でもこれらの組合せでも構わない。また合成樹脂製であれば、透明でも半透明でも着色されていてもよい。【００１１】  課題を解決するための第一の手段で示した前記収容具底部には前記乾麺類を取り出す孔部が少なくとも一つ設けられることに関しては、例えば前記収容具孔部を一つ設ける場合は、概略一人分（８０〜１２０ｇ）になるように形成することが好ましく、また例えば前記収容具孔部を二つ設ける場合は、概略一人分（８０〜１２０ｇ）と概略一人分半（１３０〜１７０ｇ）になるように形成することが好ましく、また例えば前記収容具孔部を三つ設ける場合は、概略半人分（３０〜７０ｇ）と概略一人分（８０〜１２０ｇ）と概略一人分半（１３０〜１７０ｇ）になるように形成することが好ましい。また前記収容具孔部の形状に関しては、任意形状で構わないが略円形状や楕円形状や多角形状や四角形状や三角形状の中から選択して単独または組合わせて用いることができる。
課題を解決するための第一の手段で示した締着具に関しては、前記包装袋嵌合部には前記包装袋開口部を嵌合した後に前記包装袋嵌合部と前記包装袋開口部を締着することが可能であればどんな手段でも構わない。【００１２】  課題を解決するための第二の手段（請求項２）は、前記孔部は前記乾麺類を計量しながら取り出せるように形成され、前記本体底部には前記孔部を開閉する手段を設けることを特徴とする、課題を解決するための第一の手段に記載の乾麺類収容具を提供することである。【００１３】  課題を解決するための第二の手段で示した前記孔部は前記乾麺類を計量しながら取り出せるように形成されることに関しては、例えば前記収容具孔部を一つ設ける場合は、概略一人分（８０〜１２０ｇ）が計量できるように形成できればその形成手段は任意である。また例えば前記収容具孔部を二つ設ける場合は、概略一人分（８０〜１２０ｇ）と概略一人分半（１３０〜１７０ｇ）が計量できるように形成できればその形成手段は任意である。また例えば前記収容具孔部を三つ設ける場合は、概略半人分（３０〜７０ｇ）と概略一人分（８０〜１２０ｇ）と概略一人分半（１３０〜１７０ｇ）が計量できるように形成できればその形成手段は任意である。【００１４】  課題を解決するための第二の手段で示した前記本体底部には前記孔部を開閉する手段を設けることに関しては、例えば前記孔部に開閉するように形成させた部位を少なくとも一部持たせた蓋部を設け、前記蓋部の開閉手段が、前記蓋部の一端が前記本体底部に揺動自在に取り付けられた構造、前記本体底部に設けた溝に沿って板状に形成した前記蓋部がスライドする構造、前記本体底部に設けた凹凸部と前記蓋部に設けた凹凸部を枢着した構造、前記本体底部に設けた凹凸部と前記蓋部に設けた凹凸部を螺着した構造、の中から選択して単独で用いるか組合わせて用いればよい。また、前記孔部に一対になるように形成させた蓋部を圧着した構造、前記孔部に一対になるように形成させた蓋部を挿着した構造、前記孔部に一対になるように形成させた蓋部を螺着した構造、前記孔部に一対になるように形成させた蓋部を嵌着した構造、前記孔部に一対になるように形成させた蓋部を冠着した構造、の中から選択して単独で用いるか組合わせて用いればよい。【００１５】  課題を解決するための第三の手段（請求項３）は、前記締着具または／及び前記包装袋嵌合部には前記包装袋嵌合部と前記包装袋開口部の締着を補助または強化する手段を設けることを特徴とする、課題を解決するための第一の手段に記載の乾麺類収容具を提供することである。【００１６】  課題を解決するための第三の手段で示した前記締着具には前記包装袋嵌合部と前記包装袋開口部の締着を補助する手段に関しては、例えば前記締着補助手段が前記包装袋嵌合部と前記包装袋開口部の締着を開始したり保持したり解除するように形成されていればどんな構造や形状でも構わない。
課題を解決するための第三の手段で示した前記締着具には前記包装袋嵌合部と前記包装袋開口部の締着を強化する手段に関しては、例えば前記締着強化手段が前記包装袋嵌合部と前記包装袋開口部の締着力をより強くするように形成されていればどんな構造や形状でも構わない。【００１７】  課題を解決するための第三の手段で示した前記包装袋嵌合部には前記包装袋嵌合部と前記包装袋開口部の締着を補助する手段を設けることに関しては、例えば前記締着補助手段が前記包装袋嵌合部と前記包装袋開口部の締着力をより強くするように形成されていればどんな構造や形状でも構わない。
課題を解決するための第三の手段で示した前記包装袋嵌合部には前記包装袋嵌合部と前記包装袋開口部の締着を強化する手段を設けることに関しては、例えば前記締着強化手段が前記包装袋嵌合部と前記包装袋開口部の締着力をより強くするように形成されていればどんな構造や形状でも構わない。【００１８】  課題を解決するための第四の手段（請求項４）は、前記本体上部の外周寸法よりも前記本体下部の外周寸法の方が大きくなるように形成することを特徴とする、課題を解決するための第一の手段から課題を解決するための第三の手段のいずれかに記載の乾麺類収容具を提供することである。【００１９】  課題を解決するための第四の手段で示した前記本体上部の外周寸法よりも前記本体下部の外周寸法の方が大きくなるように形成することに関しては、例えば、前記本体上部が外周部と内周部で形成されている場合には、前記本体下部も外周部と内周部で形成されていて、前記本体上部の外周寸法よりも前記本体下部の外周寸法の方が大きくなるように形成する場合には、前記本体上部の外周面から前記本体下部の外周面に向かって拡がるテーパ形状に形成されても台形状に形成されても構わない。また、前記本体上部の内周寸法よりも前記本体下部の内周寸法の方が大きくなるように形成してもよいし、前記本体上部の内周寸法と前記本体下部の内周寸法が同じになるように形成してもよい。【００２０】  課題を解決するための第五の手段（請求項５）は、前記収容具本体が前記乾麺類を保存する収容手段としてだけでなく前記包装袋の開閉を自在に制御する手段として機能することを特徴とする、課題を解決するための第一の手段から課題を解決するための第四の手段のいずれかに記載の乾麺類収容具を提供することである。【００２１】  課題を解決するための第五の手段で示した前記包装袋の開閉自在に制御する蓋として機能することに関しては、本考案の前記乾麺類収容具は前記収容具本体と前記包装袋とで一体になって構成されることで、前記包装袋に前記乾麺類が収容されている間は前記収容具本体と前記包装袋とは不可分の関係になる。したがって、前記収容具本体が前記乾麺類を保存する収容手段としてだけでなく前記包装袋の開閉を自在に制御する開閉手段、例えば蓋として応用可能であることを本考案の考案者は見出した。
【考案の効果】
【００２２】  本考案の乾麺類収容具によって、本明細書で示した乾麺類をその包装袋に収容した状態で収容することが可能になることで、次のような効果を奏する。
（イ）例えば市販されている、スパゲッティ、うどん、そば、そうめん、ひやむぎ、棒状ラーメン等の棒状の乾麺類で夫々の長さにバラツキが見られても一種類の収容具で前記乾麺類が収容可能になる。
（ロ）また例えば前記乾麺類を収容具に収容した後でも、前記乾麺類の、ブランド名や生産者情報、消費期限や賞味期限、調理条件、産地、種類などを速やかに認知させることが可能になり、内容物を間違って用いることがなくなる。
（ハ）また例えば意匠性に特徴を持つ包装袋の意匠をそのまま本考案の乾麺類収容具の意匠として利用することが可能になる。
（ニ）また例えば意匠性に特徴を持つ前記乾麺類とセットで販売促進に利用することで、意匠性にこだわっている消費者に対して購買意欲を刺激させることが可能な乾麺類収容具を提供できる。
（ホ）前記乾麺類の残量の変化に伴ってその包装袋が変化することで残量の前記乾麺類の取出しが容易になる。【００２３】  本考案の乾麺類収容具によって、上述した考案の効果に加えて、本明細書で示した乾麺類をその包装袋に収容した状態を保持しながら、所定量の麺類を計量しながら容易に取り出すことができる。【００２４】  本考案の乾麺類収容具によって、上述した考案の効果に加えて、図１と図６に示す通り、乾麺類収容具ＰＣは収容具本体Ｃと包装袋Ｐとで構成されているので、本考案の乾麺類収容具を使用しないとき、すなわち包装袋Ｐを収容具本体Ｃに装着していないときは、収容具本体Ｃは小型でコンパクトなので、一般的な乾麺類の収容具としても比較的に小型でコンパクトな商品として消費者の嗜好に訴えることが可能である。【００２５】  本考案の乾麺類収容具によって、上述した考案の効果に加えて、図１と図６に示す通り、収容具本体Ｃは小型でコンパクトなので、収容具本体Ｃを使用しないときの家庭内での収納スペースが小さいので消費者に支持されやすい乾麺類の収容具を提供することができる。【００２６】  本考案の乾麺類収容具によって、上述した考案の効果に加えて、図１と図６に示す通り、乾麺類収容具ＰＣは収容具本体Ｃと包装袋Ｐとで一体になって構成されることで、収容具本体Ｃが、あたかも包装袋Ｐの開閉を自在に制御する手段、例えば蓋として作用することが可能な乾麺類収容具の提供できる。
【考案を実施するための最良の形態】
【００２７】  以下、本考案である乾麺類収容具の実施の形態について、図１〜図６に基づいて説明する。
図１は本考案の実施の形態例を説明する斜視図であり、図２は本考案の実施の形態例を示す底面図であり、図３は本考案の実施の形態例を示す底面図であり、図４は本考案の実施の形態例を示す側面図であり、図５は本考案の実施の形態例を示す側面図であり、図６は本考案の使用例を説明する使用説明図である。
【実施例１】
【００２８】  図１を用いて課題を解決するための第一の手段（請求項１）の概略の実施例を説明すると、ＰＣは本考案の乾麺類収容具であり、Ｍは乾麺類収容具ＰＣに収容される本明細書で記された乾麺類の中から選択した市販の袋入りパスタ（約５００ｇで約５人分相当）であり、Ｍ１はパスタＭが乾麺類収容具ＰＣに収容されている状態を示し、Ｍ２はパスタＭが乾麺類収容具ＰＣから取り出されている状態を示し、ＰはパスタＭを収容する包装袋であり、Ｃは包装袋Ｐに収容されたパスタＭを保存する収容具本体であり合成樹脂製でかつ有底筒状に形成され、乾麺類収容具ＰＣは収容具本体Ｃと包装袋Ｐとで構成される。収容具本体Ｃは有底筒状に形成されることで、収容具本体Ｃの上部である本体上部Ｃ１０には本体開口部Ｃ１１が設けられ、収容具本体Ｃの下部である本体下部Ｃ２０には本体底部Ｃ２１が略円形に形成され、本体底部Ｃ２１にはパスタＭ２を取り出す孔部が２個設けられ夫々第一孔部Ｈ１と第二孔部Ｈ２とし夫々任意形状で穿設される。包装袋Ｐは一端部である包装袋一端部Ｐ１で開封しても他端部である包装袋他端部Ｐ２で開封してもよく、包装袋一端部Ｐ１で開封すれば開口部である包装袋開口部Ｐ３（図示せず）が形成され、包装袋他端部Ｐ２で開封すれば開口部である包装袋開口部Ｐ４が形成される。Ｃ１３は本体上部Ｃ１０または本体開口部Ｃ１１の近傍で本体上部Ｃ１０の外周面Ｃ１２に沿って包装袋開口部Ｐ４の所定の内周面を嵌合させるように形成した包装袋嵌合部である。Ｃ３０は包装袋嵌合部Ｃ１３に包装袋開口部Ｐ４を嵌合した後に包装袋嵌合部Ｃ１３と包装袋開口部Ｐ４の嵌合部位を締着できるようにリング状及び帯状に形成させた締着具である。締着具Ｃ３０には、本明細書で記述した締着補助手段として締着具Ｃ３０の着脱が自在になるように形成させた締着具着脱部Ｃ３１と、本明細書で記述した締着強化手段として締着具Ｃ３０の締着が強化するように締着具Ｃ３０の内周の任意部位に任意量の凹凸状を形成させた締着具強化部Ｃ３２とを設けた。包装袋嵌合部Ｃ１３には、本明細書で記述した締着強化手段として締着具Ｃ３０の締着が強化するように包装袋嵌合部Ｃ１３の任意部位に任意量の凹凸状を形成させた嵌合部凹凸部Ｃ１４を設けた。
【実施例２】
【００２９】  また図１と図４と図５を用いて課題を解決するための第一の手段（請求項１）の実施例の内の締着具Ｃ３０の作用を説明すると、例えば、収容具本体Ｃと締着具Ｃ３０を合成樹脂で成形することで、包装袋嵌合部Ｃ１３と包装袋開口部Ｐ４を合成樹脂の弾力性でしっかりと嵌合させる事ができ、また包装袋嵌合部Ｃ１３と包装袋開口部Ｐ４を締着具Ｃ３０の弾力性でしっかりと締着させることができ、また締着具強化部Ｃ３２と嵌合部凹凸部Ｃ１４が合成樹脂の弾力性でしっかりと締着を保持させることができ、以上の構成により、乾麺類収容具ＰＣをどんな状態に置いた場合でも、収容具本体Ｃと包装袋Ｐは簡単に外れる事は無い。
【実施例３】
【００３０】  図１から図３を用いて課題を解決するための第二の手段（請求項２）の実施例を説明する。まず図１と図２より、第一孔部Ｈ１は本体底部Ｃ２１の任意部位に概略一人分（８０〜１２０ｇ）のパスタＭ２を計量しながら取り出せるように略楕円孔状に穿設され、詳細には第一孔部Ｈ１の略楕円孔状は前記概略一人分のパスタＭ２を束ねたときの断面積に相当するので前記概略一人分の食事量を計量することができるようになっている。また第二孔部Ｈ２は本体底部Ｃ２１の任意部位に概略一人分半（１３０〜１７０ｇ）のパスタＭ２を計量しながら取り出せるように略楕円孔状に穿設され、詳細には第二孔部Ｈ２の略楕円孔状は前記概略一人分半のパスタＭ２を束ねたときの断面積に相当するので前記概略一人分半の食事量を計量することができるようになっている。
次に図２と図３より、本体底部Ｃ２１には第一孔部Ｈ１と第二孔部Ｈ２の開閉を自在にする手段としての蓋部Ｃ４０を着脱可能になるように設け、まず蓋部Ｃ４０には第一孔部Ｈ１を開閉するように形成させた蓋部Ｃ４１を設け、蓋部Ｃ４１の一端が蓋部Ｃ４０の略中央部に揺動自在かつ開閉自在になるように形成された揺動接続部Ｃ４３を介して取り付けられた構造になっており、また蓋部Ｃ４０には第二孔部Ｈ２を開閉するように形成させた蓋部Ｃ４２を設け、蓋部Ｃ４２の一端が蓋部Ｃ４０の略中央部に揺動自在かつ開閉自在になるように形成された揺動接続部Ｃ４３を介して取り付けられた構造になっている。
【実施例４】
【００３１】  図１と図４と図５と図６を用いて課題を解決するための第四の手段（請求項４）の実施例を説明する。図１と図４と図５と図６に示す実施例では、収容具本体Ｃは、本体上部Ｃ１０の外周寸法よりも本体下部Ｃ２０の外周寸法の方が大きくなるように形成されており、例えば本体上部Ｃ１０の外周面から本体下部Ｃ２０の外周面に向かって拡がるテーパ形状に形成されており、したがって図４と図５に示す通り収容具本体Ｃの側面は略台形状に見えることによって、収容具本体Ｃに包装袋Ｐを装着し乾麺類収容具ＰＣを形成し、縦にして置いた時でも安定する。
また例えば、図４と図５に示す通り本体上部Ｃ１０が外周部と内周部で形成され、本体下部Ｃ２０も外周部と内周部で形成されている場合には、本体上部Ｃ１０の内周寸法Ｃ１５と本体下部Ｃ２０の内周寸法Ｃ２２が同じになるように形成されている。
【実施例５】
【００３２】  図１と図２と図３と図６を用いて課題を解決するための第五の手段（請求項５）の実施例を説明する。まず課題を解決するための第一の手段（請求項１）の実施例では、乾麺類収容具ＰＣは収容具本体Ｃと包装袋Ｐとで構成されることを特徴とするが、収容具本体Ｃと包装袋Ｐとは一対または一組の商品であるということは、収容具本体Ｃに備えられた第一孔部Ｈ１の開閉自在手段である蓋部Ｃ４１と第二孔部Ｈ２の開閉自在手段である蓋部Ｃ４２によって、収容具本体Ｃが包装袋Ｐの開閉自在手段としても機能することになり、包装袋ＰにパスタＭが収容されている間は収容具本体Ｃは包装袋Ｐの蓋として作用することを本考案の考案者は見出し本考案に至った次第である。
【実施例６】
【００３３】  図１と図６を用いて乾麺類収容具ＰＣの作用について以下に記載する。
さて、図１と図６のように構成される乾麺類収容具ＰＣを使用して、所定量のパスタＭを計量しながら取り出す場合には、まず、本考案の利用者は購入してあった市販のパスタＭを収容具本体Ｃに装着するために包装袋Ｐを把持し包装袋他端部Ｐ２を公知の開封手段を介して開封し包装袋開口部Ｐ４を形成させ、次に包装袋嵌合部Ｃ１３に包装袋開口部Ｐ４を嵌合させ、次に包装袋嵌合部Ｃ１３と包装袋開口部Ｐ４を締着具Ｃ３０で締着させ締着具着脱部Ｃ３１を用いて締着作業を終了させることで乾麺類収容具ＰＣが構成される。続いて、本考案の利用者は乾麺類収容具ＰＣから概略一人分半のパスタＭ１を取り出すために、蓋部Ｃ４２を開け第二孔部Ｈ２を開放することで概略一人分半のパスタＭ２を取り出すことができ蓋部Ｃ４２を閉じた。
【実施例７】
【００３４】
【００３５】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００３６】  本考案の乾麺類収容具は、本明細書で記載した乾麺類の「収容具」としての性格と包装袋入りの乾麺類の「蓋」としての性格を併せ持つ製品になり、また前記乾麺類とセットで売ることも可能になり、産業上の利用可能性が高い。
【図面の簡単な説明】
【００３７】
【図１】本考案の実施の形態例を説明する斜視図である。
【図２】本考案の実施の形態例を示す底面図である。
【図３】本考案の実施の形態例を示す底面図である。
【図４】本考案の実施の形態例を示す側面図である。
【図５】本考案の実施の形態例を示す側面図である。
【図６】本考案の使用例を説明する使用説明図である。
【符号の説明】
【００３８】ＰＣ：乾麺類収容具，Ｐ：包装袋，Ｃ：収容具本体
Ｍ：パスタ，Ｍ１：パスタ，Ｍ２：パスタ
Ｃ１０：本体上部，Ｃ１１：本体開口部，Ｃ１３：包装袋嵌合部
Ｃ１４：嵌合部凹凸部，Ｃ１５：内周寸法
Ｃ２０：本体下部，Ｃ２１：本体底部，Ｃ２２：内周寸法
Ｈ１：第一孔部，Ｈ２：第二孔部
Ｐ１：包装袋一端部，Ｐ２：包装袋他端部，Ｐ４：包装袋開口部
Ｃ３０：締着具，Ｃ３１：締着具着脱部，Ｃ３２：締着具強化部
Ｃ４０：蓋部，Ｃ４１：蓋部，Ｃ４２：蓋部，Ｃ４３：揺動接続部
【図１】
0003171333.tif 000003
【図２】
0003171333.tif 000004
【図３】
0003171333.tif 000005
【図４】
0003171333.tif 000006
【図５】
0003171333.tif 000007
【図６】
0003171333.tif 000008